(57)【要約】【課題】撮影通知信号を送信すると共に外部からの撮影可否信号を受信する通信機能を有するカメラ機能付き通信端末において、外部との通信が不可能な状況においては適切にカメラ機能を使用不可能にすることより、盗撮や電子万引きを確実に防ぐことを可能にしたカメラ機能付きの携帯電話装置を提供する。【解決手段】ユーザー操作によるカメラ起動要求があると（Ｓ１）、通信機能設定情報を取得し（Ｓ２）、通信機能の設定がオンになっており（Ｓ３／Ｙ）、電波状況が圏外でなく（Ｓ４／Ｎ）、外部から撮影許可信号が受信された場合（Ｓ５／Ｙ）にカメラ機能が起動する（Ｓ６）。しかし、通信機能の設定がオフ（Ｓ３／Ｎ）、あるいは電波状況が圏外の場合（Ｓ４／Ｙ）、カメラの起動要求は拒否される（Ｓ９）。また、カメラ起動中に通信機能オフ要求の操作を行った場合は、カメラ機能が停止するか通信機能オフ要求が拒否される。【選択図】図４
2008131550.tif 000002
【特許請求の範囲】
【請求項１】
撮影通知信号を送信すると共に外部からの撮影可否信号を受信する通信機能を有するカメラ機能付き通信端末において、
前記通信機能による外部との通信が不可能な状態の場合に前記カメラ機能を使用できないようにすることを特徴とするカメラ機能付き通信端末。
【請求項２】
請求項１に記載のカメラ機能付き通信端末において、前記通信機能の設定がオフになっている場合は、ユーザー操作によるカメラ起動要求を拒否することを特徴とするカメラ機能付き通信端末。
【請求項３】
請求項１に記載のカメラ機能付き通信端末において、前記通信機能の設定がオンになっていても電波状況が圏外になっている場合は、ユーザー操作によるカメラ起動要求を拒否することを特徴とするカメラ機能付き通信端末。
【請求項４】
請求項１に記載のカメラ機能付き通信端末において、カメラ動作中に通信機能オフ要求のユーザー操作があった場合はカメラ機能を停止することを特徴とするカメラ機能付き通信端末。
【請求項５】
請求項１に記載のカメラ機能付き通信端末において、カメラ動作中はユーザー操作による通信機能オフ要求を拒否することを特徴とするカメラ機能付き通信端末。
【請求項６】
請求項１に記載のカメラ機能付き通信端末において、前記通信機能が近距離無線通信機能を備えている場合、無線による前記通信機能の設定がオンになっていても、前記近距離無線通信機能の設定がオフになっている場合は、ユーザー操作によるカメラ起動要求を拒否することを特徴とするカメラ機能付き通信端末。
【請求項７】
請求項２，３又は６に記載のカメラ機能付き通信端末において、カメラ起動要求を拒否する際にユーザーにその旨の通知を行うことを特徴とするカメラ機能付き通信端末。
【請求項８】
請求項４に記載のカメラ機能付き通信端末において、カメラ機能を停止する際にユーザーにその旨の通知を行うことを特徴とするカメラ機能付き通信端末。
【請求項９】
請求項５に記載のカメラ機能付き通信端末において、カメラ起動要求を拒否する際にユーザーにその旨の通知を行うことを特徴とするカメラ機能付き通信端末。
【請求項１０】
第１から９のいずれかの請求項に記載のカメラ機能付き通信端末が携帯電話であることを特徴とする。
【発明の詳細な説明】
【技術分野】
【０００１】
本発明は、カメラ機能を備えた通信端末に係り、さらに詳細には盗撮を防止するためにカメラ機能の使用を制限する技術に関するものである。
【背景技術】
【０００２】
近年、携帯電話の高性能化・多機能化が進んでいる。とりわけカメラ機能は携帯電話に欠かせない機能となりつつある。しかし、カメラ機能が普及した影響で今度は盗撮や電子万引きといった新たな問題も生まれつつある。
それらの盗撮防止策として、例えば特許文献１に撮影するとカメラが電波を発信して、受信機を持っている者に撮影したことを知らせるようにしたものが、また、特許文献２にはカメラ側で制御電波を受ける事でカメラなどの制御を行う事例が公開されている。
【特許文献１】特開２００３−１６３８２２号公報
【特許文献２】特開２００５−３４１０４４号公報
【発明の開示】
【発明が解決しようとする課題】
【０００３】
しかしながら、特許文献１に開示された先行技術では、被撮影者が受信機を持っていない場合には盗撮防止策は機能しないという問題点があり、また、特許文献２に開示された先行技術では、カメラ側で制御電波を受けることができない場合は通常の撮影を許可してしまうという問題点がある。
【０００４】
本発明は上記事情に鑑み、撮影端末側で電波の送受信ができないような状況ではカメラの機能自体を動作させなくすることで、盗撮や電子万引きを防ぐことを可能にしたカメラ機能付き通信端末を提供することを目的とする。
【課題を解決するための手段】
【０００５】
上記課題を解決するために、本発明の第１の技術手段は、撮影通知信号を送信すると共に外部からの撮影可否信号を受信する通信機能を有するカメラ機能付き通信端末において、前記通信機能による外部との通信が不可能な状態の場合に前記カメラ機能を使用できないようにすることを特徴としたものである。
【０００６】
第２の技術手段は、第１の技術手段において、前記通信機能の設定がオフになっている場合は、ユーザー操作によるカメラ起動要求を拒否することを特徴としたものである。
【０００７】
第３の技術手段は、第１の技術手段において、前記通信機能の設定がオンになっていても電波状況が圏外になっている場合は、ユーザー操作によるカメラ起動要求を拒否することを特徴としたものである。
【０００８】
第４の技術手段は、第１の技術手段において、カメラ動作中に通信機能オフ要求のユーザー操作があった場合はカメラ機能を停止することを特徴としたものである。
【０００９】
第５の技術手段は、第１の技術手段において、カメラ動作中はユーザー操作による通信機能オフ要求を拒否することを特徴としたものである。
【００１０】
第６の技術手段は、第１の技術手段において、前記通信機能が近距離無線通信機能を備えている場合、無線による前記通信機能の設定がオンになっていても、前記近距離無線通信機能の設定がオフになっている場合は、ユーザー操作によるカメラ起動要求を拒否することを特徴としたものである。
【００１１】
第７の技術手段は、第２，３又は６の技術手段において、カメラ起動要求を拒否する際にユーザーにその旨の通知を行うことを特徴としたものである。
【００１２】
第８の技術手段は、第４の技術手段において、カメラ機能を停止する際にユーザーにその旨の通知を行うことを特徴としたものである。
【００１３】
第９の技術手段は、第５の技術手段において、カメラ起動要求を拒否する際にユーザーにその旨の通知を行うことを特徴としたものである。
【００１４】
第１０の技術手段は、第１から第９のいずれかの技術手段における通信端末が携帯電話であることを特徴としたものである。
【発明の効果】
【００１５】
本発明によれば、撮影者が所持するカメラ機能付き通信端末の盗撮防止用の通信機能がオフになっていたり電波状況が圏外となるエリアの場合のように通信機能が使用できず撮影可否信号が受信できなかったり撮影通知信号を発信できない状況でもカメラ機能の使用を適切に制限することができ、カメラ機能付き携帯電話による盗撮や電子万引きなどの不正行為を確実に防ぐごとが可能となる。
【発明を実施するための最良の形態】
【００１６】
図１は、カメラ機能付き通信端末（撮影端末）におけるカメラ機能の使用を制限するための盗撮防止システムの一例を示す図であり、撮影端末１は撮影モードに入る或いは撮影を行った際に撮影通知信号ａを制御端末２へ送信し、撮影通知信号ａを受信した制御端末２はあらかじめ決められた条件に基づき撮影可否の判定を行い、撮影可否信号ｂを撮影端末１へ送信することにより撮影端末１におけるカメラ機能の使用を制限する。
【００１７】
撮影モードに入った際に撮影通知信号ａを通知するようにした場合、制御端末２からの撮影可否信号ｂを受信した撮影端末１は撮影可否信号ｂを解読し、撮影可能であれば撮影を実行する、あるいは撮影画像を保存することができることになる。撮影不可の場合はカメラ機能の起動が抑制されて撮影を行うことができない、あるいは画像の保存を行うことができない。撮影通知信号ａおよび撮影可否信号ｂは近距離無線、またはインターネットや電話回線網などを利用する。
【００１８】
図２は、電話網を利用する場合の盗撮防止システムを示した図であり、撮影端末１から撮影通知信号ａが電話網４を経由して制御サーバ３へ送信され、撮影通知信号ａを受信した制御サーバ３はあらかじめ決められた条件に基づき撮影可否の判定をし、撮影可否信号ｂを撮影端末１へ送信するものである。
【００１９】
本発明による携帯通信端末は、上記のようなシステム環境においてカメラ機能の使用制限のための制御がより確実に行われるようにしたものであり、以下、その実施の形態について携帯通信端末装置の代表である携帯電話装置を例に説明する。
図３は、本発明の実施形態における携帯電話装置の機能ブロック図であり、カメラ機能を使用を制限するための機能に関係する要素のみを示している。
携帯電話装置２００は、通信部２１０、制御部２２０、カメラ部２３０、記憶部２４０、ユーザー入力手段２５０及び表示装置２６０を含んで構成され、通信部２１０は無線通信機能のオン・オフを切換える無線通信機能切換部２１１、電波状況判定部２１２および近距離無線通信切換部２１３、制御部２２０はカメラ制御部２２１及び通信機能制御部２２２、カメラ部２３０はカメラ機能のオン・オフを切換えるカメラ機能切換部２３１及びカメラ動作判定部２３２、記憶部２４０は通信機能のオン・オフ設定情報を記憶する通信機能設定記憶部２４１及び近距離無線通信機能設定記憶部２４２をそれぞれ有する。
【００２０】
第１の実施形態
図１又は図２に示した盗撮防止システムにおいては、上述したように撮影端末と制御端末あるいは制御サーバとで通信が行えない状況では、撮影通知信号の送信やカメラの使用を制限する制御信号の受信ができなくなり、盗撮が可能な状態が生じてしまう。第１の実施形態は、このような状況の場合にカメラ機能の使用制限することができるようにしたものである。以下、本発明の第１の実施形態について上記の図３および図４のフローチャートを用いて説明する。
まず、ステップＳ１において、ユーザー入力手段２５０からカメラ起動要求の操作入力があるとその操作信号が制御部２２０に入力される。つづいてステップＳ２では制御部２２０にカメラ起動要求の操作信号が入力されると制御部２２０は、通信機能がオフになっていないかどうか確認するために記憶部２４０の通信機能設定記憶部２４１から自装置の現在の通信機能設定情報を取得する。通信機能設定記憶部２４１には、あらかじめユーザーが設定した通信機能の設定値が記憶されている。取得した結果、通信機能設定がオンになっていた場合（ステップＳ３／Ｙ）はステップＳ４へ進む。
【００２１】
ステップＳ４では制御部２２０は、通信部２１０の電波状況判定部２１２における判定情報に基づいて電波状況が圏外でなければ（ステップＳ４／Ｎ）、ステップＳ５に進む。
ステップＳ５で、例えば図１の制御端末２から撮影許可信号の受信があれば（ステップＳ５／Ｙ）、ステップＳ６に進み、制御部２２０はカメラ部２３０のカメラ機能切換部２３１を制御しカメラ機能をオンにする。
【００２２】
一方、ステップＳ３において通信機能がオフに設定されていた場合（ステップＳ３／Ｎ）、およびステップＳ４において電波状況の取得結果が圏外だった場合（ステップＳ４／Ｙ）はステップＳ７へ進む。この場合、制御部２２０はカメラ部２３０の起動制御は行わない。
また、ステップＳ５において、カメラ起動要求により撮影通知信号ａが送信されてから一定時間以上撮影許可信号ｂが受信されない場合（ステップＳ５／Ｎ）、制御部２２０は表示装置２６０に「撮影許可信号が受信されないため、カメラを利用することはできない」等のメッセージを表示させ（ステップＳ８）、ステップＳ９に進み、カメラ起動要求の操作信号が入力されてもカメラ機能が起動しないようにカメラ部２３０のカメラ機能切換部２３１を制御する。
【００２３】
第２の実施形態
図１又は図２に示した盗撮防止システムにおいて、カメラ起動中に通信機能が使用不可能な状態になってしまうと、制御端末２からの制御信号受信や撮影端末１からの撮影通知が行えなくなり、それ以降、被撮影側からの撮影許可信号の無いまま撮影が自由に行える状況が生じてしまう。したがって、カメラ起動中に通信機能をオフにする場合は、カメラ起動も終了するよう制御する必要がある。
本発明の第２の実施形態は、このような状況に対応したものであり、カメラ動作中にユーザーが携帯電話装置をオフラインモードにするなど通信機能をオフにした場合にカメラ機能も同時にオフにするようにしたものである。以下、本発明の第２の実施形態について上記図３および図５のフローチャートを用いて説明する。
まず、ステップＳ１１において、ユーザー入力手段２５０から通信機能オフ要求の操作入力があるとその操作信号が制御部２２０に入力される。制御部２２０に通信機能オフ要求の操作信号が入力されると制御部２２０は、カメラ部２３０のカメラ動作判定部２３２の判定が「カメラ動作中」である場合（ステップＳ１２／Ｙ）、表示装置２６０に「通信機能をオフにするとカメラ機能が停止します」等のメッセージを表示させる（ステップＳ１３）。ここでユーザーがＯＫキー(不図示)を押下すれば（ステップＳ１４／Ｙ）、制御部２２０のカメラ制御部２２１はカメラ部２３０のカメラ機能切換部２３１を制御してカメラ機能をオフにし（ステップＳ１５）、ステップＳ１６へ進む。また、戻るキー（不図示）を押下した場合は（ステップＳ１４／Ｎ）、通信機能オフ要求をキャンセルして処理を終了する。
【００２４】
ステップＳ１２において、カメラが動作中ではない場合（ステップＳ１２／Ｎ）はステップＳ１６に進む。ステップＳ１６では、制御部２２０は記憶部２４０の通信機能設定記憶部２４１から自装置の現在の通信機能設定情報を取得し、通信機能設定がオフであれば（ステップＳ１７／Ｎ）そのまま処理を終了する。また、通信機能設定がオンであれば（ステップＳ１７／Ｙ）、制御部２２０の通信機能制御部２２２は通信部２１０の無線通信機能切換部２１１を制御して通信機能をオフにし（ステップＳ１８）、つづいて記憶部２４０の通信機能設定記憶部２４１に通信機能はオフであるという設定を入力して通信機能設定の更新を行い（ステップＳ１９）、処理を終了する。
【００２５】
第３の実施形態
次に、カメラ動作中にユーザーが携帯電話装置の通信機能をオフ（オフラインモードなど）にしようとした際に、通信機能をオフにできないようにする例を、本発明の第３の実施形態として上記図３および図６のフローチャートを用いて説明する。
まず、ステップＳ２１において、ユーザー入力手段２５０から通信機能オフ要求の操作入力があるとその操作信号が制御部２２０に入力される。制御部２２０に通信機能オフ要求の操作信号が入力されると制御部２２０は、カメラ部２３０のカメラ動作判定部２３２の判定が「カメラ動作中」である場合（ステップＳ２２／Ｙ）、表示装置２６０に「カメラ起動中は通信機能をオフにできません！」等のメッセージを表示させ（ステップＳ２３）、処理を終了する。
【００２６】
ステップＳ２２において、カメラが動作中ではない場合（ステップＳ２２／Ｎ）はステップＳ２４に進み、制御部２２０は記憶部２４０の通信機能設定記憶部２４１から自装置の現在の通信機能設定情報を取得し、通信機能設定がオフであれば（ステップＳ２５／Ｎ）そのまま処理を終了する。また、通信機能設定がオンであれば（ステップＳ２５／Ｙ）、制御部２２０の通信機能制御部２２２は通信部２１０の無線通信機能切換部２１１を制御して通信機能をオフにし（ステップＳ２６）、つづいて記憶部２４０の通信機能設定記憶部２４１に通信機能はオフであるという設定を入力して通信機能設定の更新を行い（ステップＳ２７）、処理を終了する。
【００２７】
第４の実施形態
図１に示した盗撮防止システムにおいて、無線通信による通信機能がオンであって近距離無線機能（Ｂｌｕｅｔｏｏｔｈ通信や赤外線通信など）がオフの場合、近距離無線を使用した制御端末２からの制御信号受信や撮影端末１からの撮影通知が行えなくなる問題がある。
本発明の第４の実施形態は、このような状況においてカメラ起動を許可しないようしたものである。以下、本発明の第４の実施形態について、上記図３および図７のフローチャートを用いて説明する。
まず、ステップＳ３１において、ユーザー入力手段２５０からカメラ起動要求の操作入力があるとその操作信号が制御部２２０に入力される。続いてステップＳ３２では制御部２２０にカメラ起動要求の操作信号が入力されると制御部２２０は、通信機能がオフになっていないかどうか確認するために記憶部２４０の通信機能設定記憶部２４１から自装置の現在の通信機能設定情報を取得する。通信機能設定記憶部２４１には、あらかじめユーザーが設定した通信機能の設定値が記憶されている。
【００２８】
取得した結果、通信機能設定がオフになっていた場合（ステップＳ３３／Ｎ）はステップＳ３４へ進み、制御部２２０は表示装置２６０に「通信機能が使用可能な状態になっていないため、カメラを利用することはできない」等のメッセージを表示させる（ステップＳ３４）。
また、取得した結果、通信機能設定がオンになっていた場合（ステップＳ３３／Ｙ）はステップＳ３５へ進む。
【００２９】
ステップＳ３５では、制御部２２０は、近距離通信機能がオフになっていないかどうか確認するために、記憶部２４０の近距離無線通信機能設定記憶部２４２から自装置の現在の近距離無線通信設定を取得する。近距離無線通信機能設定記憶部２４２には、あらかじめユーザーがユーザー入力手段２５０を用いて入力した設定値が記憶されている。取得した結果、近距離無線通信機能がオフに設定されていた場合（ステップＳ３６／Ｎ）、ステップＳ３４に進み、制御部２２０は表示装置２６０に通信機能設定がオフの場合(ステップＳ３３／Ｎ)と同様のメッセージを表示させ、ステップＳ３７に進む。
【００３０】
近距離無線通信機能がオンに設定されていた場合は（ステップＳ３６／Ｙ）、カメラ起動要求をしてから一定時間経過しても制御端末１からの撮影許可信号が受信されなければ（ステップＳ３８／Ｎ）、ステップＳ３９に進み、制御部２２０は表示装置２６０に「撮影許可信号が受信されないため、カメラを利用することはできない」等のメッセージを表示させ（ステップＳ３９）、ステップＳ３７に進む。ステップＳ３７では、カメラ起動要求の操作信号が入力されてもカメラ機能が起動しないようにカメラ部２３０のカメラ機能切換部２３１を制御する。
一方、ステップＳ３８で制御端末２からの撮影許可信号が受信された場合(ステップＳ３８／Ｙ)はステップＳ４０に進み、制御部２２０はカメラ部２３０のカメラ機能切換部２３１を制御しカメラ機能をオンにし、処理は終了する。
【００３１】
以上に説明したように、本発明によれば、撮影端末とカメラ機能の使用を制限する制御信号を送信する制御端末あるいは制御サーバとの通信が行えない状態においても、カメラの使用を確実に制限する制御を行うことが可能となる。
なお、上述した各実施形態において、カメラ機能の起動拒否、カメラ機能の停止、通信機能オフ要求の拒否などの際のユーザーへの通知方法は、表示装置２６０（例えばＬＣＤや有機ＥＬなど）にメッセージを表示する方法以外にも、ＬＥＤを点灯／点滅させる方法、音を鳴らす方法、携帯電話装置を振動させるようにしてもよい。
【図面の簡単な説明】
【００３２】
【図１】盗撮防止システムについての説明図である。
【図２】電話網を利用した盗撮防止システムについての説明図である。
【図３】本発明の実施形態における携帯電話装置の機能ブロック図である。
【図４】本発明の第１の実施形態における携帯電話装置での処理のフローチャートである。
【図５】本発明の第２の実施形態における携帯電話装置での処理のフローチャートである。
【図６】本発明の第３の実施形態における携帯電話装置での処理のフローチャートである。
【図７】本発明の第４の実施形態における携帯電話装置での処理のフローチャートである。
【符号の説明】
【００３３】
１…撮影端末、２…制御端末、３…制御サーバ、４…電話網、２００…携帯電話装置、２１０…通信部、２１１…無線通信機能切換部、２１２…電波状況判定部、２１３…近距離無線通信切換部、２２０…制御部、２２１…カメラ制御部、２２２…通信機能制御部、２３０…カメラ部、２３１…カメラ機能切換部、２３２…カメラ動作判定部、２４０…記憶部、２４１…通信機能設定記憶部、２４２…近距離無線通信機能設定記憶部、２５０…ユーザー入力手段、２６０…表示装置。
【図１】
2008131550.tif 000003
【図２】
2008131550.tif 000004
【図３】
2008131550.tif 000005
【図４】
2008131550.tif 000006
【図５】
2008131550.tif 000007
【図６】
2008131550.tif 000008
【図７】
2008131550.tif 000009